(57)【要約】【課題】操作性を向上させることができる溶接トーチ２１を提供する。【解決手段】本発明の溶接トーチ２１は、アダプタ３１を備え、このアダプタ３１は、左右のアダプタ部材３１ａ、３１ｂが嵌め合わされて、軸心部に一線式パワーケーブル８の挿通孔３１ｐが形成されて、先端部がハンドル２２の基端部に取り付けられる。アダプタ３１の先端部に円柱状に形成されたフランジ３１ｇが設けられ、フランジ３１ｇの外周面に突起部３１ｒが形成されている。ハンドル２２の挿入孔２２ｑにアダプタ３１のフランジ３１ｇの突起部３１ｒに対応した切り欠き部２２ｈが形成されている。ハンドル２２の基端部にアダプタ３１のフランジ３１ｇが挿入されたのちにフランジ３１ｇが回転されたときにアダプタ３１のフランジ３１ｇの突起部３１ｒが係止する係止溝２２ｂがハンドル２２の基端部に形成されている。【選択図】図１
2015037805.tif 000002
【特許請求の範囲】
【請求項１】
電力が供給される一線式パワーケーブルと、
先端部にコンタクトチップが取り付けられたチップボディと、
基端部に前記一線式パワーケーブルが接続され、先端部に前記チップボディが接続されたトーチボディと、
前記トーチボディの基端部と前記一線式パワーケーブルの先端部とを覆い、周囲を溶接作業者が把持するハンドルとを備え、
前記一線式パワーケーブルによって供給された電力が前記トーチボディ及びチップボディを介してコンタクトチップへ供給される溶接トーチにおいて、
左右のアダプタ部材が嵌め合わされて、軸心部に前記一線式パワーケーブルの挿通孔が形成されて、先端部が前記ハンドルの基端部に取り付けられるアダプタを備えたことを特徴とする溶接トーチ。
【請求項２】
前記アダプタの先端部に円柱状に形成されて、外周面に突起部が形成されたフランジが設けられ、
前記ハンドルの基端部に前記アダプタのフランジが挿入される挿入孔が形成され、
前記ハンドルの前記挿入孔に前記アダプタの前記フランジの前記突起部に対応した切り欠き部が形成され、
前記ハンドルの前記挿入孔に前記アダプタの前記フランジが挿入されたのちに前記アダプタの前記フランジが回転されたときに、前記アダプタの前記フランジの前記突起部が係止する係止溝が前記ハンドルの基端部に形成されたことを特徴とする請求項１記載の溶接トーチ。
【請求項３】
前記アダプタの前記フランジの前記突起部に、前記ハンドルに対する前記アダプタの位置合わせを行うための凸部が形成され、
前記ハンドルの係止溝に、前記アダプタの前記フランジの前記突起部に形成された前記凸部に対応する凹部が形成されたことを特徴とする請求項２記載の溶接トーチ。
【請求項４】
左右のアダプタ部材が嵌め合わされて、軸心部に前記一線式パワーケーブルの挿通孔が形成されて、先端部が前記アダプタの基端部に取り付けられる他のアダプタを備え、
前記他のアダプタの先端部に、円柱状に形成されて、外周面に突起部が形成されたフランジが設けられ、
前記アダプタの基端部に前記他のアダプタの前記フランジが挿入される挿入孔が形成され、
前記アダプタの前記挿入孔に前記他のアダプタの前記フランジの前記突起部に対応した切り欠き部が形成され、
前記アダプタの前記挿入孔に前記他のアダプタの前記フランジが挿入されたのちに前記他のアダプタの前記フランジが回転されたときに、前記他のアダプタの前記フランジの前記突起部が係止する係止溝が前記アダプタの基端部に形成されたことを特徴とする請求項２又は３記載の溶接トーチ。
【請求項５】
前記他のアダプタの先端部に形成された前記フランジの前記突起部に、前記アダプタに対する前記他のアダプタの位置合わせを行うための凸部が形成され、
前記アダプタの係止溝に、前記他のアダプタの前記フランジの前記突起部に形成された前記凸部に対応する凹部が形成されたことを特徴とする請求項４記載の溶接トーチ。
【請求項６】
前記アダプタの先端部に円柱状に形成されて、外周面に雄ねじが形成されたフランジが設けられ、
前記ハンドルの基端部に、前記アダプタの前記フランジが挿入される挿入孔が形成され、
前記ハンドルの前記挿入孔の内周面に、前記アダプタの前記フランジの外周面に形成された雄ねじに対応する雌ねじが形成されたことを特徴とする請求項１記載の溶接トーチ。
【請求項７】
前記アダプタの前記フランジの半径方向に沿って、前記ハンドルに対する前記アダプタの位置合わせを行うためのプランジャが設けられ、
前記ハンドルの前記挿入孔の内周面に、前記アダプタの前記フランジに設けられた前記プランジャに対応する凹部が形成されたことを特徴とする請求項６記載の溶接トーチ。
【請求項８】
左右のアダプタ部材が嵌め合わされて、軸心部に前記一線式パワーケーブルの挿通孔が形成されて、先端部が前記アダプタの基端部に取り付けられる他のアダプタを備え、
前記他のアダプタの先端部に円柱状に形成されて、外周面に雄ねじが形成されたフランジが設けられ、
前記アダプタの基端部に前記他のアダプタの前記フランジが挿入される挿入孔が形成され、
前記アダプタの前記挿入孔の内周面に、前記他のアダプタの前記フランジの外周面に形成された雄ねじに対応した雌ネジが形成されたことを特徴とする請求項６又は７記載の溶接トーチ。
【請求項９】
前記他のアダプタの前記フランジの半径方向に沿って、前記アダプタに対する前記他のアダプタの位置合わせを行うためのプランジャが設けられ、
前記アダプタの前記挿入孔の内周面に、前記他のアダプタの前記フランジに設けられたプランジャに対応する凹部が形成されたことを特徴とする請求項８記載の溶接トーチ。
【発明の詳細な説明】
【技術分野】
【０００１】
本発明は、溶接作業者が手で操作して溶接を行う半自動アーク溶接における溶接トーチに関するものである。
【背景技術】
【０００２】
図９は、半自動アーク溶接装置の構成を示す図である。同図において、ワイヤリール１に巻かれた溶接ワイヤが、ワイヤ送給機２によって送出されて、一線式パワーケーブル８によってガイドされて溶接トーチ３まで送給される。ガスボンベ４から噴出されたシールドガスが、ワイヤ送給機２を介して溶接トーチ３に供給され、溶接電源５から出力された電力が、ワイヤ送給機２を介して溶接トーチ３と被溶接物６との間に供給される。リモコンボックス７によって、溶接電流と溶接電圧とが設定される。
【０００３】
溶接作業者が手に把持する溶接トーチについて図１０を参照して説明する。図１０は、消耗電極ガスシールドアーク溶接に使用される一般的な溶接トーチ３の構造を示す部分断面図である。同図において、溶接トーチ３のトーチボディ１１の基端部に一線式パワーケーブル８が接続され、トーチボディ１１の基端部と一線式パワーケーブル８の先端部との接続部を覆うように溶接作業者が把持するハンドル１３が取り付けられている。ハンドル１３は、左右のハンドル部材から成る。トーチボディ１１の先端部にチップボディ１４が取り付けられ、このチップボディ１４の先端部にコンタクトチップ１５が取り付けられている。チップボディ１４及びコンタクトチップ１５の軸芯部には、溶接ワイヤを挿通するための円形のワイヤ挿通孔が形成されている。
【０００４】
オリフィス１６がチップボディ１４の下方に設けられて、チップボディ１４のシールドガス噴出口から噴出されたシールドガスがオリフィス１６のシールドガス噴出口を通過することによって、シールドガスが整流される。またオリフィス１６は、後述するノズル１７がチップボディ１４と電気的に短絡することを防止していて、セラミックスなどの絶縁材料で形成されている。ノズル１７はコンタクトチップ１５とオリフィス１６とを取囲んでいる。オリフィス１６のシールドガス噴出口から噴出されたシールドガスがノズル１７の先端部から噴出されて、シールドガスがアーク、溶融池及びその周辺を大気から遮蔽している。チップボディ１４の周りに絶縁ブッシュ１８が設けられ、ノズル１７とチップボディ１４とが絶縁されている。オリフィス１６はノズル１７の内面に設けられた突起部に引っ掛かかり、ノズル１７がオリフィス１６を介して絶縁ブッシュ１８にねじ込まれる。（例えば、特許文献１参照。）
【０００５】
溶接作業者が溶接トーチ３のハンドル１３を把持して、トーチスイッチ１９をＯＮすると、図９に示した溶接電源５から出力された電力が、一線式パワーケーブル８を通してコンタクトチップ１５と被溶接物６との間に供給される。コンタクトチップ１５のワイヤ挿通孔に溶接ワイヤが内接触することによって溶接ワイヤに給電され、溶接ワイヤと被溶接物６との間でアークが発生する。
【先行技術文献】
【特許文献】
【０００６】
【特許文献１】特開２０１２−７１３１５号公報
【発明の概要】
【発明が解決しようとする課題】
【０００７】
上述した従来技術の溶接トーチ３は、ハンドル１３の長さが、例えば溶接電流値に対応して一種類のサイズしかなかった。そのために、手の大きな溶接作業者は、ハンドル１３の長さが短い場合、ハンドル１３を保持することが困難であり、逆に、手の小さな溶接作業者は、ハンドル１３の長さが長い場合、溶接トーチ３の取り回しが困難であった。そのために、これらの溶接作業者が長時間溶接を行うときには疲労が伴っていた。また、溶接作業者が溶接トーチ３を両手で把持すると溶接トーチ３の操作性が向上する場合でも、ハンドル１３の長さが両手で把持するには短い場合、両手で把持することができず、溶接トーチ３の操作性を向上させることができなかった。
【０００８】
本発明は、溶接トーチの操作性を向上させることができる溶接トーチを提供することを目的としている。
【課題を解決するための手段】
【０００９】
上述した課題を解決するために、請求項１の発明は、
電力が供給される一線式パワーケーブルと、
先端部にコンタクトチップが取り付けられたチップボディと、
基端部に前記一線式パワーケーブルが接続され、先端部に前記チップボディが接続されたトーチボディと、
前記トーチボディの基端部と前記一線式パワーケーブルの先端部とを覆い、周囲を溶接作業者が把持するハンドルとを備え、
前記一線式パワーケーブルによって供給された電力が前記トーチボディ及びチップボディを介してコンタクトチップへ供給される溶接トーチにおいて、
左右のアダプタ部材が嵌め合わされて、軸心部に前記一線式パワーケーブルの挿通孔が形成されて、先端部が前記ハンドルの基端部に取り付けられるアダプタを備えたことを特徴とする溶接トーチである。
【００１０】
請求項２の発明は、
前記アダプタの先端部に円柱状に形成されて、外周面に突起部が形成されたフランジが設けられ、
前記ハンドルの基端部に前記アダプタのフランジが挿入される挿入孔が形成され、
前記ハンドルの前記挿入孔に前記アダプタの前記フランジの前記突起部に対応した切り欠き部が形成され、
前記ハンドルの前記挿入孔に前記アダプタの前記フランジが挿入されたのちに前記アダプタの前記フランジが回転されたときに、前記アダプタの前記フランジの突起部が係止する係止溝が前記ハンドルの基端部に形成されたことを特徴とする請求項１記載の溶接トーチである。
【００１１】
請求項３の発明は、
前記アダプタの前記フランジの前記突起部に、前記ハンドルに対する前記アダプタの位置合わせを行うための凸部が形成され、
前記ハンドルの係止溝に、前記アダプタの前記フランジの前記突起部に形成された前記凸部に対応する凹部が形成されたことを特徴とする請求項２記載の溶接トーチである。
【００１２】
請求項４の発明は、
左右のアダプタ部材が嵌め合わされて、軸心部に前記一線式パワーケーブルの挿通孔が形成されて、先端部が前記アダプタの基端部に取り付けられる他のアダプタを備え、
前記他のアダプタの先端部に、円柱状に形成されて、外周面に突起部が形成されたフランジが設けられ、
前記アダプタの基端部に前記他のアダプタの前記フランジが挿入される挿入孔が形成され、
前記アダプタの前記挿入孔に前記他のアダプタの前記フランジの前記突起部に対応した切り欠き部が形成され、
前記アダプタの前記挿入孔に前記他のアダプタの前記フランジが挿入されたのちに前記他のアダプタの前記フランジが回転されたときに、前記他のアダプタの前記フランジの前記突起部が係止する係止溝が前記アダプタの基端部に形成されたことを特徴とする請求項２又は３記載の溶接トーチである。
【００１３】
請求項５の発明は、
前記他のアダプタの先端部に形成された前記フランジの前記突起部に、前記アダプタに対する前記他のアダプタの位置合わせを行うための凸部が形成され、
前記アダプタの係止溝に、前記他のアダプタの前記フランジの前記突起部に形成された前記凸部に対応する凹部が形成されたことを特徴とする請求項４記載の溶接トーチである。
【００１４】
請求項６の発明は、
前記アダプタの先端部に円柱状に形成されて、外周面に雄ねじが形成されたフランジが設けられ、
前記ハンドルの基端部に、前記アダプタの前記フランジが挿入される挿入孔が形成され、
前記ハンドルの前記挿入孔の内周面に、前記アダプタの前記フランジの外周面に形成された雄ねじに対応する雌ねじが形成されたことを特徴とする請求項１記載の溶接トーチである。
【００１５】
請求項７の発明は、
前記アダプタの前記フランジの半径方向に沿って、前記ハンドルに対する前記アダプタの位置合わせを行うためのプランジャが設けられ、
前記ハンドルの前記挿入孔の内周面に、前記アダプタの前記フランジに設けられた前記プランジャに対応する凹部が形成されたことを特徴とする請求項６記載の溶接トーチである。
【００１６】
請求項８の発明は、
左右のアダプタ部材が嵌め合わされて、軸心部に前記一線式パワーケーブルの挿通孔が形成されて、先端部が前記アダプタの基端部に取り付けられる他のアダプタを備え、
前記他のアダプタの先端部に円柱状に形成されて、外周面に雄ねじが形成されたフランジが設けられ、
前記アダプタの基端部に前記他のアダプタの前記フランジが挿入される挿入孔が形成され、
前記アダプタの前記挿入孔の内周面に、前記他のアダプタの前記フランジの外周面に形成された雄ねじに対応した雌ネジが形成されたことを特徴とする請求項６又は７記載の溶接トーチである。
【００１７】
請求項９の発明は、
前記他のアダプタの前記フランジの半径方向に沿って、前記アダプタに対する前記他のアダプタの位置合わせを行うためのプランジャが設けられ、
前記アダプタの前記挿入孔の内周面に、前記他のアダプタの前記フランジに設けられたプランジャに対応する凹部が形成されたことを特徴とする請求項８記載の溶接トーチである。
【発明の効果】
【００１８】
本発明の溶接トーチは、ハンドルの長さを変更することができるので、溶接作業者がハンドルを保持することが容易になり、溶接トーチの操作性を向上させることができる。
【図面の簡単な説明】
【００１９】
【図１】本発明の実施の形態１の溶接トーチ２１の平面図及び正面図である。
【図２】本発明の実施の形態１の溶接トーチ２１のハンドル２２の基端部の平面から見た断面図、ハンドル２２の基端部の正面から見た断面図及びハンドル２２の基端部の側面図である。
【図３】本発明の実施の形態１の溶接トーチ２１の第１のアダプタ３１の左側面図と、第１のアダプタ３１、第２のアダプタ３２及び第３のアダプタ３３の正面から見た部分断面図と、第３のアダプタ３３の右側面図と、第１のアダプタ３１、第２のアダプタ３２及び第３のアダプタ３３の平面図である。
【図４】本発明の実施の形態１の溶接トーチ２１の第１のアダプタ３１の分解図及び第１のアダプタ３１の断面図である。
【図５】本発明の実施の形態２の溶接トーチ４１のハンドル４２の基端部の正面から見た断面図及びハンドル４２の基端部の側面図である。
【図６】本発明の実施の形態２の溶接トーチ４１の第１のアダプタ５１の左側面図と、第１のアダプタ５１、第２のアダプタ５２及び第３のアダプタ５３の正面から見た部分断面図と、第３のアダプタ５３の右側面図と、第１のアダプタ５１、第２のアダプタ５２及び第３のアダプタ５３の平面図である。
【図７】図６（Ａ）に示す第１のアダプタ５１のＢ−Ｂ断面図である。
【図８】本発明の実施の形態２の溶接トーチ４１の第１のアダプタ５１の分解図及び第１のアダプタ５１の断面図である。
【図９】半自動アーク溶接装置の構成を示す図である。
【図１０】消耗電極ガスシールドアーク溶接に使用される一般的な溶接トーチ３の構造を示す部分断面図である。
【発明を実施するための形態】
【００２０】
［実施の形態１］
発明の実施の形態を実施例に基づき図面を参照して説明する。図１（Ａ）は、本発明の実施の形態１の溶接トーチ２１の平面図であり、図１（Ｂ）は、本発明の実施の形態１の溶接トーチ２１の正面図である。図２（Ａ）は、本発明の実施の形態１の溶接トーチ２１のハンドル２２の基端部の平面から見た断面図であり、図２（Ｂ）は、本発明の実施の形態１の溶接トーチ２１のハンドル２２の基端部の正面から見た断面図であり、図２（Ｃ）は、本発明の実施の形態１の溶接トーチ２１のハンドル２２の基端部の側面図である。図３（Ａ）は、本発明の実施の形態１の溶接トーチ２１の第１のアダプタ３１の左側面図であり、図３（Ｂ）は、本発明の実施の形態１の溶接トーチ２１の第１のアダプタ３１、第２のアダプタ３２及び第３のアダプタ３３の正面から見た部分断面図であり、図３（Ｃ）は、本発明の実施の形態１の溶接トーチ２１の第３のアダプタ３３の右側面図であり、図３（Ｄ）は、本発明の実施の形態１の溶接トーチ２１の第１のアダプタ３１、第２のアダプタ３２及び第３のアダプタ３３の平面図である。図４（Ａ）は、本発明の実施の形態１の溶接トーチ２１の第１のアダプタ３１の分解図であり、図４（Ｂ）は、本発明の実施の形態１の溶接トーチ２１の第１のアダプタ３１の図４（Ａ）に示したＡ―Ａ断面図である。
【００２１】
図１〜図４において、溶接トーチ２１のトーチボディ１１の基端部に一線式パワーケーブル８（図１０参照）が接続され、トーチボディ１１の基端部と一線式パワーケーブル８の先端部との接続部を覆うようにハンドル２２が取り付けられていて、このハンドル２２の周囲を溶接作業者が把持する。ハンドル２２は、左右のハンドル部材から成る。トーチボディ１１の先端部にチップボディ１４（図１０参照）が取り付けられ、このチップボディ１４の先端部にコンタクトチップ１５（図１０参照）が取り付けられている。チップボディ１４及びコンタクトチップ１５の軸芯部には、溶接ワイヤを挿通するための円形のワイヤ挿通孔が形成されている。
【００２２】
オリフィス１６（図１０参照）がチップボディ１４の下方に設けられて、チップボディ１４のシールドガス噴出口から噴出されたシールドガスが、このオリフィス１６のシールドガス噴出口を通過することによってシールドガスが整流される。また、このオリフィス１６は、後述するノズル１７がチップボディ１４と電気的に短絡することを防止していて、セラミックスなどの絶縁材料で形成されている。ノズル１７（図１０参照）はコンタクトチップ１５とオリフィス１６とを取囲んでいる。オリフィス１６のシールドガス噴出口から噴出されたシールドガスがノズル１７の先端部から噴出されて、シールドガスがアーク、溶融池及びその周辺を大気から遮蔽している。チップボディ１４の周りに絶縁ブッシュ１８（図１０参照）が設けられ、ノズル１７とチップボディ１４とが絶縁されている。オリフィス１６はノズル１７の内面に設けられた突起部に引っ掛かかり、ノズル１７がオリフィス１６を介して絶縁ブッシュ１８にねじ込まれる。
【００２３】
図１、図３及び図４において、第１のアダプタ３１、第２のアダプタ３２及び第３のアダプタ３３の３個のアダプタがハンドル２２の基端部に取り付けられている。溶接トーチ２１は、トーチボディ１１の基端部と一線式パワーケーブル８の先端部とが接続された状態で、ハンドル２２に対して第１のアダプタ３１、第２のアダプタ３２及び第３のアダプタ３３を簡単に着脱できるように、第１のアダプタ３１、第２のアダプタ３２及び第３のアダプタ３３は半割り構造としている。第１のアダプタ３１は、図４に示す右アダプタ部材３１ａ及び左アダプタ部材３１ｂが嵌め合わされて、第１のアダプタ３１の軸心部に一線式パワーケーブル８が挿通される挿通孔３１ｐが形成されている。この右及び左の符号の説明は、溶接作業者が溶接トーチ２１のハンドル２２を把持したとき、上部側から見た位置で記載している。
【００２４】
図４（Ｂ）において、右アダプタ部材３１ａの断面形状は、逆Ｃ字形状を有している。右アダプタ部材３１ａの両端部には、上部係止用爪３１ｃ及び下部係止用爪３１ｄがそれぞれ形成されていて、上部係止用爪３１ｃ及び下部係止用爪３１ｄの先端部は、第１のアダプタ３１の長手軸方向と直角方向、即ち垂直方向に伸びるＬ字形状をそれぞれ有している。上部係止用爪３１ｃは、上部方向へ曲がるＬ字形状を有し、下部係止用爪３１ｄは、下部方向へ曲がるＬ字形状を有している。
【００２５】
左アダプタ部材３１ｂの断面形状は、Ｃ字形状を有している。左アダプタ部材３１ｂの両端部には、上部係止用爪３１ｃ及び下部係止用爪３１ｄに対応した上部挿通孔３１ｅ及び下部挿通孔３１ｆが、それぞれ形成されている。上部挿通孔３１ｅ及び下部挿通孔３１ｆの入り口は、上部係止用爪３１ｃ及び下部係止用爪３１ｄの先端部の位置よりも少し第１のアダプタ３１の軸心部方向にずれた位置に形成されている。また、上部挿通孔３１ｅ及び下部挿通孔３１ｆは、第１のアダプタ３１の長手軸方向と直角方向、即ち垂直方向に伸びるＬ字形状に貫通されている。上部挿通孔３１ｅは、上部方向へ曲がるＬ字形状を有し、下部挿通孔３１ｆは、下部方向へ曲がるＬ字形状を有している。また、上部挿通孔３１ｅ及び下部挿通孔３１ｆのＬ字形状の水平方向の高さは、上部係止用爪３１ｃ及び下部係止用爪３１ｄの先端部のＬ字形状がそれぞれ容易に挿通されるように、上部係止用爪３１ｃ及び下部係止用爪３１ｄの先端部のＬ字形状の垂直方向の高さよりも大きくそれぞれ形成されている。
【００２６】
第１のアダプタ３１の先端部に、円柱状に形成されたフランジ３１ｇが設けられている。フランジ３１ｇの外周面に右突起部３１ｒ及び左突起部３１ｓが形成されている。ハンドル２２の基端部に、第１のアダプタ３１のフランジ３１ｇが挿入される挿入孔２２ｑが形成されている。この挿入孔２２ｑの直径は、一線式パワーケーブル８が挿通される挿通孔２２ａの直径よりも大きい。この挿入孔２２ｑに、第１のアダプタ３１のフランジ３１ｇの右突起部３１ｒ及び左突起部３１ｓがそれぞれ挿入されるように、右突起部３１ｒ及び左突起部３１ｓにそれぞれ対応した上部切り欠き部２２ｈ及び下部切り欠き部２２ｉがそれぞれ形成されている。ハンドル２２の基端部に、第１のアダプタ３１のフランジ３１ｇが挿入されたのちに、第１のアダプタ３１のフランジ３１ｇが回転されたときに、第１のアダプタ３１のフランジ３１ｇの右突起部３１ｒ及び左突起部３１ｓがそれぞれ係止する係止溝２２ｂが、ハンドル２２の基端部に形成されている。
【００２７】
第１のアダプタ３１のフランジ３１ｇの右突起部３１ｒ及び左突起部３１ｓの外周面に、ハンドル２２の外周形状に対する第１のアダプタ３１の外周形状の位置合わせを行うための右凸部３１ｊ及び左凸部３１ｋがそれぞれ形成されている。また、ハンドル２２の係止溝２２ｂに、第１のアダプタ３１のフランジ３１ｇの右突起部３１ｒ及び左突起部３１ｓにそれぞれ形成された右凸部３１ｊ及び左凸部３１ｋに対応する右貫通小孔２２ｍ及び左貫通小孔２２ｎがそれぞれ形成されている。
【００２８】
第１のアダプタ３１の基端部に、第２のアダプタ３２のフランジが挿入される挿入孔が形成されている。この挿入孔の直径は、一線式パワーケーブル８が挿通される挿通孔の直径よりも大きい。この挿入孔に、第２のアダプタ３２の先端部に形成されたフランジの右突起部及び左突起部がそれぞれ挿入されるように、右突起部及び左突起部にそれぞれ対応した上部切り欠き部及び下部切り欠き部がそれぞれ形成されている。第１のアダプタ３１の基端部に、第２のアダプタ３２のフランジが挿入されたのちに、第２のアダプタ３２のフランジが回転されたときに、第２のアダプタ３２のフランジの右突起部及び左突起部が係止する係止溝が、第１のアダプタ３１の基端部に形成されている。
【００２９】
第２のアダプタ３２のフランジの右突起部及び左突起部の外周面に、第１のアダプタ３１の外周形状に対する第２のアダプタの外周形状の位置合わせを行うための右凸部及び左凸部がそれぞれ形成されている。また、第１のアダプタ３１の係止溝に、第２のアダプタ３２のフランジの右突起部及び左突起部にそれぞれ形成された右凸部及び左凸部に対応する右貫通小孔及び左貫通小孔がそれぞれ形成されている。これらの第１のアダプタ３１の挿入孔と、挿通孔と、上部切り欠き部及び下部切り欠き部と、係止溝と、右貫通小孔及び左貫通小孔とは、図２に示したハンドル２２の挿入孔２２ｑと、挿通孔２２ａと、上部切り欠き部２２ｈ及び下部切り欠き部２２ｉと、係止溝２２ｂと、右貫通小孔２２ｍ及び左貫通小孔２２ｎと同じ機能であるので、図示及び説明を省略する。また、図３に示した第３のアダプタ３３の上部切り欠き部３３ｈ及び下部切り欠き部３３ｉと、係止溝３３ｂと、右貫通小孔３３ｍ及び左貫通小孔３３ｎは、図２に示したハンドル２２の挿入孔２２ｑと、挿通孔２２ａと、上部切り欠き部２２ｈ及び下部切り欠き部２２ｉと、係止溝２２ｂと、右貫通小孔２２ｍ及び左貫通小孔２２ｎと同じ機能であるので、説明を省略する
【００３０】
第２のアダプタ３２及び第３のアダプタ３３の形状は、上述した第１のアダプタ３１の形状と同じ形状を有するので説明を省略する。第３のアダプタの基端部に第４のアダプタ又は複数のアダプタを取り付けても良い。その場合、第４のアダプタ又は複数のアダプタも上述した第１のアダプタ３１の形状と同じ形状を有するので説明を省略する。
【００３１】
ハンドル２２の基端部に第１のアダプタ３１のみを取り付けて、第１のアダプタ３１の基端部に第２のアダプタ３２を取り付けない場合、第１のアダプタ３１の基端部に、第２のアダプタ３２のフランジが挿入される挿入孔及び第２のアダプタ３２のフランジの突起部が係止する係止溝を形成する必要はない。また、第１のアダプタ３１の基端部に第２のアダプタ３２のみを取り付けて、第２のアダプタ３２の基端部に第３のアダプタ３３を取り付けない場合、第２のアダプタ３２の基端部に、第３のアダプタ３３のフランジが挿入される挿入孔及び第３のアダプタ３３のフランジの突起部が係止する係止溝を形成する必要はない。また、第２のアダプタ３２の基端部に第３のアダプタ３３のみを取り付けて、第３のアダプタ３３の基端部に他のアダプタを取り付けない場合、第３のアダプタ３３の基端部に、他のアダプタのフランジが挿入される挿入孔及び他のアダプタのフランジの突起部が係止する係止溝を形成する必要はない。
【００３２】
以下、動作を説明する。溶接作業者が、溶接トーチ２１のハンドル２２の長さを長くしたいときは、ハンドル２２の基端部の一線式パワーケーブル８の回りに第1のアダプタ３１の右アダプタ部材３１ａ及び左アダプタ部材３１ｂを配置させる。そして、右アダプタ部材３１ａの上部係止用爪３１ｃ及び下部係止用爪３１ｄの先端部を第１のアダプタ３１の軸心部方向にそれぞれ少し押して、上部係止用爪３１ｃ及び下部係止用爪３１ｄの先端部を左アダプタ部材３１ｂの上部挿通孔３１ｅ及び下部挿通孔３１ｆの入り口からそれぞれ挿入させる。そして、右アダプタ部材３１ａの上部係止用爪３１ｃ及び下部係止用爪３１ｄの先端部を左アダプタ部材３１ｂの上部挿通孔３１ｅ及び下部挿通孔３１ｆの出口までそれぞれ挿通させると、上部係止用爪３１ｃ及び下部係止用爪３１ｄの第１のアダプタ３１の長手軸方向と直角方向、即ち垂直方向に戻る力によって、上部挿通孔３１ｅ及び下部挿通孔３１ｆのＬ字形状に上部係止用爪３１ｃ及び下部係止用爪３１ｄのＬ字形状がそれぞれ嵌め合わされて固定される。
【００３３】
次に、第１のアダプタ３１のフランジ３１ｇの外周面に形成された右突起部３１ｒ及び左突起部３１ｓが垂直の位置になるように第１のアダプタ３１を回転させる。そして、フランジ３１ｇの右突起部３１ｒ及び左突起部３１ｓをハンドル２２の基端部の挿入孔２２ｑに形成された上部切り欠き部２２ｈ及び下部切り欠き部２２ｉをそれぞれ通過するように、第１のアダプタ３１のフランジ３１ｇをハンドル２２の挿入孔２２ｑに挿入する。そして、第１のアダプタ３１のフランジ３１ｇの右突起部３１ｒ及び左突起部３１ｓが係止溝２２ｂに摺接しながら、第１のアダプタ３１のフランジ３１ｇを回転させる。
【００３４】
そして、第１のアダプタ３１のフランジ３１ｇの右突起部３１ｒ及び左突起部３１ｓの外周面に形成された右凸部３１ｊ及び左凸部３１ｋが、ハンドル２２の係止溝２２ｂに形成された右貫通小孔２２ｍ及び左貫通小孔２２ｎにそれぞれ挿入されるまで、第１のアダプタ３１を回転させる。第１のアダプタ３１のフランジ３１ｇの右突起部３１ｒ及び左突起部３１ｓの右凸部３１ｊ及び左凸部３１ｋが、ハンドル２２の係止溝２２ｂの右貫通小孔２２ｍ及び左貫通小孔２２ｎにそれぞれ挿入されると、ハンドル２２の外周形状に対する第１のアダプタ３１の外周形状の位置合わせが行われる。この状態で、第１のアダプタ３１の右突起部３１ｒ及び左突起部３１ｓがハンドル２２の係止溝２２ｂに係止されて、固定される。
【００３５】
第１のアダプタ３１の基端部に第２のアダプタ３２及び第３のアダプタ３３を取り付ける場合は、上記の動作を繰り返して第２のアダプタ３２及び第３のアダプタ３３を取り付ける。そして、溶接作業者が溶接トーチ２１のハンドル２２を把持して、トーチスイッチ１９をＯＮすると、溶接電源５（図９参照）から出力された電力が、一線式パワーケーブル８、トーチボディ１１及びチップボディ１４（図１０参照）を通してコンタクトチップ１５（図１０参照）と被溶接物６（図９参照）との間に供給される。コンタクトチップ１５のワイヤ挿通孔に溶接ワイヤが内接触することによって溶接ワイヤに給電され、溶接ワイヤと被溶接物６との間でアークが発生する。
【００３６】
溶接が終了して、第１のアダプタ３１、第２のアダプタ３２及び第３のアダプタ３３をハンドル２２の基端部から外すときは、まず、第３のアダプタ３３を第２のアダプタ３２の基端部から取り外す。このために、第２のアダプタ３２の基端部の右貫通小孔及び左貫通小孔の外側から第３のアダプタ３３のフランジの右突起部及び左突起部の右凸部及び左凸部を先のとがった治具で内側にそれぞれ押しこんで、右突起部及び左突起部が垂直の位置になるように第３のアダプタ３３を回転させる。そして、第３のアダプタ３３のフランジの右突起部及び左突起部を第２のアダプタ３２の基端部に形成された挿入孔の上部切り欠き部及び下部切り欠き部をそれぞれ通過させて、第３のアダプタ３３のフランジを第２のアダプタ３２の基端部から取り外す。
【００３７】
そして、第３のアダプタ３３の右アダプタ部材の上部係止用爪及び下部係止用爪の先端部を第３のアダプタ３３の軸心部方向に押しこんで、上部係止用爪及び下部係止用爪の左アダプタ部材の上部挿通孔及び下部挿通孔に対する係止をそれぞれ外して、右アダプタ部材を左アダプタ部材から引き離して、第３のアダプタ３３を一線式パワーケーブル８から外す。
【００３８】
次に、上述した第３のアダプタ３３を第２のアダプタ３２の基端部から取り外すときと同様にして、第２のアダプタ３２を第１のアダプタ３１の基端部から取り外し、さらに、第１のアダプタ３１をハンドル２２の基端部から取り外す。
【００３９】
この結果、本発明の実施の形態１の溶接トーチ２１は、手の大きな溶接作業者は、ハンドル１３の長さが短い場合、溶接トーチ２１のハンドル２２の基端部にアダプタを１個又は複数個取り付けることによって、ハンドル２２の長さを長くすることができる。そのために、ハンドル２２の長さが溶接作業者の手のサイズに合うために、ハンドル２２を保持することが容易になる。この結果、溶接トーチ２１の操作性を向上させることができ、溶接作業者が長時間溶接を行う際に疲労を軽減することができる。
【００４０】
また、例えば溶接トーチ２１の基端部にアダプタを１個取り付けた長さを標準の長さとしておくと、手の小さな作業者は、アダプタを１個取り付けたハンドル１３の長さが長い場合、ハンドル１３の基端部からアダプタを１個取り外すことによって、溶接トーチ２１のハンドル２２の長さを短くすることができる。そのために、ハンドル２２の長さが溶接作業者の手のサイズに合うために、溶接トーチ２１の取り回しが容易になる。この結果、溶接トーチ２１の操作性を向上させることができ、溶接作業者が長時間溶接を行う際に疲労を軽減することができる。即ち、溶接トーチ２１のハンドル２２の基端部にアダプタを着脱することで、溶接作業者の手のサイズにあった溶接トーチ２１に簡単に、かつ  安価に変更することができる。
【００４１】
また、本発明の実施の形態１の溶接トーチ２１は、溶接作業者が溶接トーチ２１を両手で把持すると溶接トーチ２１の操作性が向上する場合、ハンドル２２の基端部にアダプタを１個又は複数個取り付けることによって、ハンドル２２の長さを長くすることができるので、溶接トーチ２１を両手で保持し易くなり、溶接トーチ２１の操作性を向上させることができる。
【００４２】
また、本発明の実施の形態１の溶接トーチ２１は、図３に示すように、アダプタの外周面の縁の面取り３４を行うことによって、アダプタの着脱部分の繋ぎ目にわずかなへこみができ、この箇所が手の滑り止めとなり、さらに溶接トーチ２１の操作性を向上させることができる。
【００４３】
なお、上述した本発明の実施の形態１の溶接トーチ２１は、ハンドル２２の基端部に上部切り欠き部２２ｈ及び下部切り欠き部２２ｉと、右貫通小孔２２ｍ及び左貫通小孔２２ｎが形成され、第１のアダプタ３１のフランジ３１ｇに右突起部３１ｒ及び左突起部３１ｓが形成され、右突起部３１ｒ及び左突起部３１ｓに右凸部３１ｊ及び左凸部３１ｋがそれぞれ形成されている。即ち、それぞれ２個ずつ形成されているが、この代わりに、それぞれ１個だけ形成されても良い。第１のアダプタ３１の基端部に形成された上部切り欠き部及び下部切り欠き部と、右貫通小孔及び左貫通小孔においても同様であるので説明を省略する。また、第２のアダプタ３２及び第３のアダプタ３３においても同様であるので説明を省略する。
【００４４】
［実施の形態２］
発明の実施の形態を実施例に基づき図面を参照して説明する。本発明の実施の形態２の溶接トーチ４１の平面図及び正面図は、図１（Ａ）に示した本発明の実施の形態１の溶接トーチ２１の平面図及び図１（Ｂ）に示した本発明の実施の形態１の溶接トーチ２１の正面図において、ハンドル２２、第１のアダプタ３１、第２のアダプタ３２及び第３のアダプタ３３を、後述する本発明の実施の形態２の溶接トーチ４１のハンドル４２、第１のアダプタ５１、第２のアダプタ５２及び第３のアダプタ５３に置き換えたものであり、ハンドル４２は、左右のハンドル部材から成る。本発明の実施の形態２の溶接トーチ４１の一線式パワーケーブル、トーチボディ、チップボディ、コンタクトチップ、オリフィス、ノズル、絶縁ブッシュは、本発明の実施の形態１の溶接トーチ２１の一線式パワーケーブル８、トーチボディ１１、チップボディ１４、コンタクトチップ１５、オリフィス１６、ノズル１７、絶縁ブッシュ１８と同機能であるので説明を省略する。
【００４５】
図５（Ａ）は、本発明の実施の形態２の溶接トーチ４１のハンドル４２の基端部の正面から見た断面図であり、図５（Ｂ）は、本発明の実施の形態２の溶接トーチ４１のハンドル４２の基端部の側面図である。図６（Ａ）は、本発明の実施の形態２の溶接トーチ４１の第１のアダプタ５１の左側面図であり、図６（Ｂ）は、本発明の実施の形態２の溶接トーチ４１の第１のアダプタ５１、第２のアダプタ５２及び第３のアダプタ５３の正面から見た部分断面図であり、図６（Ｃ）は、本発明の実施の形態２の溶接トーチ４１の第３のアダプタ５３の右側面図であり、図６（Ｄ）は、本発明の実施の形態２の溶接トーチ４１の第１のアダプタ５１、第２のアダプタ５２及び第３のアダプタ５３の平面図である。図７は、図６（Ａ）に示す第１のアダプタ５１のＢ−Ｂ断面図である。図８（Ａ）は、本発明の実施の形態２の溶接トーチ４１の第１のアダプタ５１の分解図であり、図８（Ｂ）は、図８（Ａ）に示した本発明の実施の形態２の溶接トーチ４１の第１のアダプタ５１のＣ―Ｃ断面図である。
【００４６】
図１及び図５〜図８において、第１のアダプタ５１、第２のアダプタ５２及び第３のアダプタ５３の３個のアダプタがハンドル４２の基端部に取り付けられている。溶接トーチ４１は、トーチボディ１１の基端部と一線式パワーケーブル８の先端部とが接続された状態で、ハンドル４２に対して第１のアダプタ５１、第２のアダプタ５２及び第３のアダプタ５３を簡単に着脱できるように、第１のアダプタ５１、第２のアダプタ５２及び第３のアダプタ５３は半割り構造としている。第１のアダプタ５１は、図８に示す右アダプタ部材５１ａ及び左アダプタ部材５１ｂが嵌め合わされて、第１のアダプタ５１の軸心部に一線式パワーケーブル８が挿通される挿通孔５１ｐが形成されている。この右及び左の符号の説明は、溶接作業者が溶接トーチ４１のハンドル４２を把持したとき、上部側から見た位置で記載している。
【００４７】
図８（Ｂ）において、右アダプタ部材５１ａの断面形状は、逆Ｃ字形状を有している。右アダプタ部材５１ａの両端部には、上部係止用爪５１ｃ及び下部係止用爪５１ｄがそれぞれ形成されていて、上部係止用爪５１ｃ及び下部係止用爪５１ｄの先端部は、第１のアダプタ５１の長手軸方向と直角方向、即ち垂直方向に伸びるＬ字形状をそれぞれ有している。上部係止用爪５１ｃは、上部方向へ曲がるＬ字形状を有し、下部係止用爪５１ｄは、下部方向へ曲がるＬ字形状を有している。
【００４８】
左アダプタ部材５１ｂの断面形状は、Ｃ字形状を有している。左アダプタ部材５１ｂの両端部には、上部係止用爪５１ｃ及び下部係止用爪５１ｄに対応した上部挿通孔５１ｅ及び下部挿通孔５１ｆが、それぞれ形成されている。上部挿通孔５１ｅ及び下部挿通孔５１ｆの入り口は、上部係止用爪５１ｃ及び下部係止用爪５１ｄの先端部の位置よりも少し第１のアダプタ５１の軸心部方向にずれた位置に形成されている。また、上部挿通孔５１ｅ及び下部挿通孔５１ｆは、第１のアダプタ５１の長手軸方向と直角方向、即ち垂直方向に伸びるＬ字形状に貫通されている。上部挿通孔５１ｅは、上部方向へ曲がるＬ字形状を有し、下部挿通孔５１ｆは、下部方向へ曲がるＬ字形状を有している。また、上部挿通孔５１ｅ及び下部挿通孔５１ｆのＬ字形状の水平方向の高さは、上部係止用爪５１ｃ及び下部係止用爪５１ｄの先端部のＬ字形状がそれぞれ容易に挿通されるように、上部係止用爪５１ｃ及び下部係止用爪５１ｄの先端部のＬ字形状の垂直方向の高さよりも大きくそれぞれ形成されている。
【００４９】
第１のアダプタ５１の先端部に、円柱状に形成されたフランジ５１ｇが設けられている。このフランジ５１ｇの外周面に雄ねじが形成されている。ハンドル４２の基端部に、第１のアダプタ５１のフランジ５１ｇが挿入される挿入孔４２ｑが形成されている。この挿入孔４２ｑの直径は、一線式パワーケーブル８が挿通される挿通孔４２ａの直径よりも大きい。ハンドル４２の挿入孔４２ｑの内周面に、アダプタ５１のフランジ５１ｇの外周面に形成された雄ねじに対応する雌ねじが形成されている。
【００５０】
第１のアダプタ５１のフランジ５１ｇの半径方向に沿って、ハンドル４２の外周形状に対する第１のアダプタ５１の外周形状の位置合わせを行うための右プランジャ５１ｊ及び左プランジャ５１ｋがそれぞれ設けられている。これらの右プランジャ５１ｊ及び左プランジャ５１ｋは、図７に示すように、フランジ５１ｇに形成されたスプリング挿入孔６１にスプリング６２が設けられている。このスプリング６２の先端部にボール押圧板６３が設けられていて、このボール押圧板６３がボール６４をフランジ５１ｇの半径方向に押圧している。ボール支持部材６５がスプリング挿入孔６１の入り口に固定されていて、ボール支持部材６５には、ボール６４の一部が突出するようにボール突出孔６５ａが形成されている。ハンドル４２の挿入孔４２ｑの内周面に、第１のアダプタ５１のフランジ５１ｇに設けられた右プランジャ５１ｊ及び左プランジャ５１ｋに対応する右凹部４２ｍ及び左凹部４２ｎがそれぞれ形成されている。
【００５１】
第１のアダプタ５１の挿入孔、挿通孔、右凹部及び左凹部は、図５に示したハンドル４２の挿入孔４２ｑ、挿通孔４２ａ、右凹部４２ｍ及び左凹部４２ｎと同じ機能であるので、図示及び説明を省略する。また、図６に示した第３のアダプタ５３の挿入孔５３ｑ、右凹部５３ｍ及び左凹部５３ｎは、図５に示したハンドル４２の挿入孔４２ｑ、右凹部４２ｍ及び左凹部４２ｎと同じ機能であるので、説明を省略する。
【００５２】
第２のアダプタ５２及び第３のアダプタ５３の形状は、上述した第１のアダプタ５１の形状と同じ形状を有するので説明を省略する。第３のアダプタの基端部に第４のアダプタ又は複数のアダプタを取り付けても良い。その場合、第４のアダプタ又は複数のアダプタも上述した第１のアダプタ５１の形状と同じ形状を有するので説明を省略する。
【００５３】
ハンドル４２の基端部に第１のアダプタ５１のみを取り付けて、第１のアダプタ５１の基端部に第２のアダプタ５２を取り付けない場合、第１のアダプタ５１の基端部に、第２のアダプタ５２のフランジが挿入される挿入孔と、第２のアダプタ５２の右プランジャ及び左プランジャに対応する右凹部及び左凹部とを形成する必要はない。また、第１のアダプタ５１の基端部に第２のアダプタ５２のみを取り付けて、第２のアダプタ５２の基端部に第３のアダプタ５３を取り付けない場合、第２のアダプタ５２の基端部に、第３のアダプタ５３のフランジが挿入される挿入孔と、第３のアダプタ３２の右プランジャ及び左プランジャに対応する右凹部及び左凹部とを形成する必要はない。また、第２のアダプタ５２の基端部に第３のアダプタ５３のみを取り付けて、第３のアダプタ５３の基端部に他のアダプタを取り付けない場合、第３のアダプタ５３の基端部に、他のアダプタのフランジが挿入される挿入孔と、他のアダプタの右プランジャ及び左プランジャに対応する右凹部及び左凹部とを形成する必要はない。
【００５４】
以下、動作を説明する。溶接作業者が、溶接トーチ４１のハンドル４２の長さを長くしたいときは、ハンドル４２の基端部の一線式パワーケーブル８の回りに第１のアダプタ５１の右アダプタ部材５１ａ及び左アダプタ部材５１ｂを配置させる。そして、右アダプタ部材５１ａの上部係止用爪５１ｃ及び下部係止用爪５１ｄの先端部を第１のアダプタ５１の軸心部方向にそれぞれ少し押して、上部係止用爪５１ｃ及び下部係止用爪５１ｄの先端部を左アダプタ部材５１ｂの上部挿通孔５１ｅ及び下部挿通孔５１ｆの入り口からそれぞれ挿入させる。そして、右アダプタ部材５１ａの上部係止用爪５１ｃ及び下部係止用爪５１ｄの先端部を左アダプタ部材５１ｂの上部挿通孔５１ｅ及び下部挿通孔５１ｆの出口までそれぞれ挿通させると、上部係止用爪５１ｃ及び下部係止用爪５１ｄの第１のアダプタ５１の長手軸方向と直角方向、即ち垂直方向に戻る力によって、上部挿通孔５１ｅ及び下部挿通孔５１ｆのＬ字形状に上部係止用爪５１ｃ及び下部係止用爪５１ｄのＬ字形状がそれぞれ嵌め合わされて固定される。
【００５５】
次に、第１のアダプタ５１のフランジ５１ｇをハンドル４２の基端部の挿入孔４２ｑにねじ込む。そして、第１のアダプタ５１のフランジ５１ｇの右プランジャ５１ｊ及び左プランジャ５１ｋが、ハンドル４２の挿入孔４２ｑに形成された右凹部４２ｍ及び左凹部４２ｎにそれぞれ係止されるまで、第１のアダプタ５１をねじ込む。第１のアダプタ５１のフランジ５１ｇの右プランジャ５１ｊ及び左プランジャ５１ｋが、ハンドル４２の挿入孔４２ｑに形成された右凹部４２ｍ及び左凹部４２ｎにそれぞれ係止されて、第１のアダプタ５１をねじ込むことを止めると、ハンドル４２の外周形状に対する第１のアダプタ５１の外周形状の位置合わせが行われる。この状態で、第１のアダプタ５１のフランジ５１ｇの右プランジャ５１ｊ及び左プランジャ５１ｋが、ハンドル４２の挿入孔４２ｑに形成された右凹部４２ｍ及び左凹部４２ｎにそれぞれ係止されて、固定される。
【００５６】
第１のアダプタ５１の基端部に第２のアダプタ５２及び第３のアダプタ５３を取り付ける場合は、上記の動作を繰り返して第２のアダプタ５２及び第３のアダプタ５３を取り付ける。そして、溶接作業者が溶接トーチ４１のハンドル４２を把持して、トーチスイッチ１９をＯＮすると、溶接電源５（図９参照）から出力された電力が、一線式パワーケーブル８、トーチボディ１１及びチップボディ１４（図１０参照）を通してコンタクトチップ１５（図１０参照）と被溶接物６（図９参照）との間に供給される。コンタクトチップ１５のワイヤ挿通孔に溶接ワイヤが内接触することによって溶接ワイヤに給電され、溶接ワイヤと被溶接物６との間でアークが発生する。
【００５７】
溶接が終了して、第１のアダプタ５１、第２のアダプタ５２及び第３のアダプタ５３をハンドル４２の基端部から外すときは、まず、第３のアダプタ５３を回転させて、第３のアダプタ５３のフランジの右プランジャ及び左プランジャについて、第２のアダプタの挿入孔に形成された右凹部及び左凹部のそれぞれの係止を外す。そしてさらに第３のアダプタ５３を回転させてネジをゆるめて、第３のアダプタ５３のフランジを第２のアダプタ５２の基端部から取り外す。
【００５８】
そして、第３のアダプタ５３の右アダプタ部材の上部係止用爪及び下部係止用爪の先端部を第３のアダプタ５３の軸心部方向に押しこんで、上部係止用爪及び下部係止用爪の左アダプタ部材の上部挿通孔及び下部挿通孔に対する係止をそれぞれ外して、右アダプタ部材を左アダプタ部材から引き離して、第３のアダプタ５３を一線式パワーケーブル８から外す。
【００５９】
次に、上述した第３のアダプタ５３を第２のアダプタ５２の基端部から取り外すときと同様にして、第２のアダプタ５２を第１のアダプタ５１の基端部から取り外し、さらに、第１のアダプタ５１をハンドル４２の基端部から取り外す。
【００６０】
この結果、本発明の実施の形態２の溶接トーチ４１は、上述した本発明の実施の形態１の溶接トーチ２１が奏する効果と同様の効果を奏する。
【００６１】
また、本発明の実施の形態２の溶接トーチ４１は、図６に示すように、アダプタの外周面の縁の面取り５４を行うことによって、アダプタの着脱部分の繋ぎ目にわずかなへこみができ、この箇所が手の滑り止めとなり、さらに溶接トーチ４１の操作性を向上させることができる。
【００６２】
なお、上述した本発明の実施の形態２の溶接トーチ４１は、ハンドル４２の基端部にハンドルの右凹部４２ｍ及びハンドルの左凹部４２ｎが形成され、第１のアダプタ５１のフランジ５１ｇに第１のアダプタの左プランジャ５１ｋ及び第１のアダプタの右プランジャ５１ｊが形成されている。即ち、それぞれ２個ずつ形成されているが、この代わりに、それぞれ１個だけ形成されても良い。第１のアダプタ５１の基端部に形成された第１のアダプタの右凹部及び第１のアダプタの左凹部においても同様であるので説明を省略する。また、第２のアダプタ５２及び第３のアダプタ５３においても同様であるので説明を省略する。
【符号の説明】
【００６３】
１            ワイヤリール
２            ワイヤ送給機
３            溶接トーチ
４            ガスボンベ
５            溶接電源
６            被溶接物
７            リモコンボックス
８            一線式パワーケーブル
１１            トーチボディ
１３            ハンドル
１４            チップボディ
１５            コンタクトチップ
１６            オリフィス
１７            ノズル
１８            絶縁ブッシュ
１９            トーチスイッチ
２１            溶接トーチ
２２            ハンドル
２２ａ            ハンドルの挿通孔
２２ｂ            ハンドルの係止溝
２２ｈ            ハンドルの上部切り欠き部
２２ｉ            ハンドルの下部切り欠き部
２２ｍ            ハンドルの右貫通小孔
２２ｎ            ハンドルの左貫通小孔
２２ｑ            ハンドルの挿入孔
３１            第１のアダプタ
３１ａ            第１のアダプタの右アダプタ部材
３１ｂ            第１のアダプタの左アダプタ部材
３１ｃ            第１のアダプタの上部係止用爪
３１ｄ            第１のアダプタの下部係止用爪
３１ｅ            第１のアダプタの上部挿通孔
３１ｆ            第１のアダプタの下部挿通孔
３１ｇ            第１のアダプタのフランジ
３１ｊ            第１のアダプタの右凸部
３１ｋ            第１のアダプタの左凸部
３１ｐ            第１のアダプタの挿通孔
３１ｒ            第１のアダプタの右突起部
３１ｓ            第１のアダプタの左突起部
３２            第２のアダプタ
３３            第３のアダプタ
３３ｂ            第３のアダプタの係止溝
３３ｈ            第３のアダプタの上部切り欠き部
３３ｉ            第３のアダプタの下部切り欠き部
３３ｍ            第３のアダプタの右貫通小孔
３３ｎ            第３のアダプタの左貫通小孔
３４            面取り
４１            溶接トーチ
４２            ハンドル
４２ａ            ハンドルの挿通孔
４２ｍ            ハンドルの右凹部
４２ｎ            ハンドルの左凹部
４２ｑ            ハンドルの挿入孔
５１            第１のアダプタ
５１ａ            第１のアダプタの右アダプタ部材
５１ｂ            第１のアダプタの左アダプタ部材
５１ｃ            第１のアダプタの上部係止用爪
５１ｄ            第１のアダプタの下部係止用爪
５１ｅ            第１のアダプタの上部挿通孔
５１ｆ            第１のアダプタの下部挿通孔
５１ｇ            第１のアダプタのフランジ
５１ｊ            第１のアダプタの右プランジャ
５１ｋ            第１のアダプタの左プランジャ
５１ｐ            第１のアダプタの挿通孔
５２            第２のアダプタ
５３            第３のアダプタ
５３ｍ            第３のアダプタの右凹部
５３ｎ            第３のアダプタの左凹部
５３ｑ            第３のアダプタの挿入孔
５４            面取り
６１            スプリング挿入孔
６２            スプリング
６３            ボール押圧板
６４            ボール
６５            ボール支持部材
６５ａ            ボール突出孔
【図１】
2015037805.tif 000003
【図２】
2015037805.tif 000004
【図３】
2015037805.tif 000005
【図４】
2015037805.tif 000006
【図５】
2015037805.tif 000007
【図６】
2015037805.tif 000008
【図７】
2015037805.tif 000009
【図８】
2015037805.tif 000010
【図９】
2015037805.tif 000011
【図１０】
2015037805.tif 000012